(57)【要約】  第１のシェル部分、第２のシェル部分、第３のシェル部分、および第４のシェル部分を含む保護ヘッドギアが提供される。第１のシェル部分は、ユーザの頭部のまわりに伸びるように構成されて、第１の中心部分、第１のシェル部分から伸びる第１のストラップおよび第２のストラップを含む。第１の中心部分は、第１の保護層および第１の保護層の上に配置される第２の保護層を含む。第２のシェル部分は、ユーザの顎のまわりに伸びるように構成されて、第２の中心部分、第２のシェル部分から伸びる第３のストラップおよび第４のストラップを含む。第３のシェル部分は、第１のストラップおよび第３のストラップによって第１のシェル部分に連結して、第４のシェル部分は、第２のストラップおよび第４のストラップによって第２のシェル部分に連結している。【選択図】図１
2019521258.tif 000002
【特許請求の範囲】
【請求項１】
保護機能をユーザに提供するヘッドギアであって、
前記ユーザの頭部のまわりに伸びるように構成される第１のシェル部分であって、前記第１のシェル部分は、第１の中心部分、前記第１のシェル部分から伸びる第１のストラップおよび第２のストラップを含み、前記第１の中心部分は、第１の保護層および前記第１の保護層の上に配置される第２の保護層を含む第１のシェル部分と、
前記ユーザの顎のまわりに伸びるように構成される第２のシェル部分であって、第２の中心部分、前記第２のシェル部分から伸びる第３のストラップおよび第４のストラップを含む第２のシェル部分と、
前記第１のストラップおよび前記第３のストラップによって前記第１のシェル部分に連結する第３のシェル部分と、
前記第２のストラップおよび前記第４のストラップによって前記第２のシェル部分に連結する第４のシェル部分と、
を備えるヘッドギア。
【請求項２】
前記第１の中心部分は、前記第１の中心部分を通る少なくとも一つの開口部を含む請求項１に記載のヘッドギア。
【請求項３】
前記第１の保護層は、台形形状を有する請求項１に記載のヘッドギア。
【請求項４】
前記台形形状は、曲げられた上部および下部のベースを有する請求項３に記載のヘッドギア。
【請求項５】
前記第２の保護層はボータイ形状を有し、前記ボータイ形状は、第１の部分、第２の部分、および前記第１の部分と前記第２の部分を連結する中間部分を含む請求項１に記載のヘッドギア。
【請求項６】
前記第２の保護層を通る開口部は、前記中間部分に沿っていて、前記第１の部分と前記第２の部分を分離する請求項５に記載のヘッドギア。
【請求項７】
前記第２の保護層は、前記第１の保護層の上に配置される２つの部分を含む請求項１に記載のヘッドギア。
【請求項８】
前記第２の保護層を通る開口部は、前記第１の保護層の上に配置される前記２つの部分を分離する請求項７に記載のヘッドギア。
【請求項９】
前記第１のストラップおよび前記第２のストラップのうちの一つのストラップは、二つ以上のストラップ部分を含む請求項１に記載のヘッドギア。
【請求項１０】
前記ストラップの前記ストラップ部分は、前記ストラップ部分の間にＶ字形凹部を形成する傾斜壁を有する請求項９に記載のヘッドギア。
【請求項１１】
少なくとも一つのストラップ部分は、前記ストラップを通る開口部を含む請求項９に記載のヘッドギア。
【請求項１２】
前記第１のシェル部分の第１のチャンネルを通って伸びる第１の紐であって、第１の端部および第２の端部を有する第１の紐と、
前記第２のシェル部分の第２のチャンネルを通って伸びる第２の紐であって、第３の端部および第４の端部を有する第２の紐と、
前記第３のシェル部分の上に配置される第１のコネクタであって、前記第１の端部および前記第３の端部を受ける第１のコネクタと、
前記第４のシェル部分の上に配置される第２のコネクタであって、前記第２の端部および前記第４の端部を受ける第２のコネクタと、
を更に備える請求項１に記載のヘッドギア。
【請求項１３】
前記第１のコネクタに配置される第１のカプラであって、前記第１の端部と前記第３の端部を結合させる第１のカプラと、
前記第２のコネクタに配置される第２のカプラであって、前記第２の端部と前記第４の端部を結合させる第２のカプラと、
を更に備える請求項１２に記載のヘッドギア。
【請求項１４】
ロックを備える後部分と、
第５の端部および第６の端部を有する第３の紐であって、前記ロックに連結する第３の紐と、
を更に備え、そこにおいて、前記第１のコネクタは前記第５の端部を加えて受け、そして前記第２のコネクタは前記第６の端部を加えて受ける請求項１３に記載のヘッドギア。
【請求項１５】
前記第１のカプラは前記第５の端部に加えて結合し、そして前記第２のカプラは前記第６の端部に加えて結合する請求項１４に記載のヘッドギア。
【請求項１６】
前記ロックは、前記第３の紐に張力をかける第１の方向に回転するように構成され、前記第３の紐は、入れ替わりに前記第１のカプラおよび前記第２のカプラを介して前記第１の紐および前記第２の紐に張力をかける請求項１５に記載のヘッドギア。
【請求項１７】
前記ロックは、前記第３の紐から張力を解除する第２の方向に回転するように構成され、前記第３の紐は、入れ替わりに前記第１のカプラおよび前記第２のカプラを介して、それぞれ、前記第１の紐および前記第２の紐から張力を解除する請求項１５に記載のヘッドギア。
【請求項１８】
第１のストラップおよび第２のストラップを有する保護メガネと、
前記第３のシェル部分の上に配置される第１のコネクタであって、前記第１のコネクタは第１のストラップロックを含み、前記第１のストラップロックは前記第１のストラップを受けて固定する第１のコネクタと、
前記第４のシェル部分の上に配置される第２のコネクタであって、前記第２のコネクタは第２のストラップロックを含み、前記第２のストラップロックは前記第２のストラップを受けて固定する第２のコネクタと、
を更に備える請求項１に記載のヘッドギア。
【請求項１９】
前記第１のストラップは、傾斜突起の第１のセットを含み、
前記第２のストラップは、傾斜突起の第２のセットを含み、
前記第１のストラップロックは、相補的な傾斜突起の第３のセットを含み、前記突起の第３のセットは、前記突起の第１のセットに係合し、そして
前記第２のストラップロックは、相補的な傾斜突起の第４のセットを含み、前記突起の第４のセットは、前記突起の第２のセットに係合する請求項１８に記載のヘッドギア。
【請求項２０】
前記第１のストラップロックは、前記第１のストラップをそこに受けるように構成される第１の開口部を含み、そして前記第２のストラップロックは、前記第２のストラップをそこに受けるように構成される第２の開口部を含む請求項１８に記載のヘッドギア。
【発明の詳細な説明】
【技術分野】
【０００１】
本出願は、ヘッドギアに関する。より詳しくは、本出願は、統合化固定システムおよび着脱可能な保護メガネを備えたぴったり合う保護ヘッドギアを対象にする。
【背景技術】
【０００２】
数百万の人々が、さまざまな競技活動およびスポーツに参加する。米国において、すべてのスポーツに関連した傷害の１５パーセントは、振盪（一種の頭部傷害）である。特定のスポーツは参加者の間の接触を伴う（例えば、コンタクトスポーツ）。例えば、フットボール、アイスホッケー、ラグビー、ボクシング、キックボクシング、サッカー、水球、レスリング、ならびにその他のコンタクトスポーツ。５〜２１才、そしてそれ以上の年齢である、世界中の推定３百万の人々がアマチュアレスリングに参加する。それでも、レスリングヘッドギアのための強制された基準がない。イヤガードは、通常、ヘッドギアの形と考えられるが、イヤガードは耳だけを保護するので、この用語は誤った名称である。さまざまなイヤガードがレスリングの参加者に利用できるが、これらのイヤガードは、外耳を保護するようにデザインされているが、頭部傷害からの保護を提供するようにデザインされておらず、その結果、イヤガードは、参加者の頭部、顔面、目、顎、および脳を保護するのに効果がない。強制された基準に関して、イヤガードは、米国のハイスクールおよび大学のプログラムならびに競技会において義務的であるが、イヤガードは国際競技会においては任意である。
【発明の概要】
【発明が解決しようとする課題】
【０００３】
イヤガードは、通常、成形プラスチックポリマー、または２つの剛性プラスチックライナー上に配置される、ビニール被覆エネルギー吸収フォームから製造される。イヤガードは、通常、参加者がイヤガードを参加者の頭部に固定するために、それらの間に伸びる多くのストラップを備えている。例えば、イヤガードは、通常、頭部の後に伸びるいくつかのストラップ、頭部の正面および上部に伸びるいくつかのストラップ、および顎先の下または顎先に伸びる一つのストラップを備えている。更に、イヤガードは、通常、マジックテープまたはボタンスナップ機構を用いて固定される。イヤガードは、頭部傷害からの保護を提供しないだけでなく、ストラップは、参加者の頭部にきつく締めつけられているときでも、イヤガードを参加者の頭部に適切に固定せず、したがって、接触の間のイヤガードのシフトまたは移動を適切に防止せず、それは参加者の頭部関連の傷害につながることがありえる。より詳しくは、いくつかのストラップが、接触の間、さまざまな方向に常に引かれるので、イヤガードは、頭部の軸回転からの保護を提供せず、それは参加者の頭部を支持する首の筋肉に著しく応力を加えることがありえる。
【０００４】
他のコンタクトスポーツのように、レスリングの参加者には、レスリングにおいて一般的である衝撃のタイプに結合する力のレベルによって他の非コンタクトスポーツと比較したときに頭部傷害を受けるより大きな危険がある。この点に関しては、レスリングの競技の規則は、対戦者を立った姿勢からマットに倒して、更に数秒間対戦者を彼（女）の背中を押し付けることで報いる。前述は、さまざまな技術を実行することによって達成することができて、そのほとんどは重大な力および加速を必要とする。しかしながら、他のコンタクトスポーツ、例えばフットボール、アイスホッケー、およびいくつかの他のスポーツとは異なり、すべてのレスリング組織がヘッドギアを義務付けるというわけではなく、そして更に、器材メーカーは、参加者、特に青年およびアマチュアレベルのそれらの参加者をさまざまな頭部傷害、例えば頭部、顔面、目、顎、および脳傷害を受けることから保護するヘッドギアを生産しなかった。
【０００５】
従って、頭部傷害への可能性を減らす保護機能を提供すると共に、参加者の頭部に容易に配置され、それに固定して、そこから取り外すことができる軽量保護ヘッドギアを提供することが望ましい。
【課題を解決するための手段】
【０００６】
実施形態に従って、保護ヘッドギアが開示される。保護ヘッドギアは、第１のシェル部分、第２のシェル部分、第３のシェル部分、および第４のシェル部分を含む。
【０００７】
第１のシェル部分は、ユーザの頭部のまわりに伸びるように構成されて、第１のシェル部分から伸びる第１の中心部分、第１のストラップ、および第２のストラップを含む。第１の中心部分は、第１の保護層および第１の保護層の上に配置される第２の保護層を含む。
【０００８】
第２のシェル部分は、ユーザの顎のまわりに伸びるように構成されて、第２のシェル部分から伸びる第２の中心部分、第３のストラップ、および第４のストラップを含む。
【０００９】
第３のシェル部分は、第１のストラップおよび第３のストラップによって第１のシェル部分に連結し、そして第４のシェル部分は、第２のストラップおよび第４のストラップによって第２のシェル部分に連結している。
【００１０】
第１の中心部分は、第１の中心部分を通る少なくとも一つの開口部を含むことができる。
【００１１】
第１の保護層は台形形状を有することができる。台形形状は、曲がった上部および下部のベースを有することができる。
【００１２】
第２の保護層はボウタイ形状を有することができて、そこにおいて、ボウタイ形状は、第１の部分、第２の部分、および第１の部分と第２の部分を連結する中間部分を含む。第２の保護層を通る開口部は、中間部分に沿って配置することができて、第１の部分と第２の部分を分離することができる。
【００１３】
第２の保護層は、第１の保護層の上に配置される２つの部分を含むことができる。第２の保護層を通る開口部は、第１の保護層の上に配置される２つの部分を分離することができる。
【００１４】
第１のストラップおよび第２のストラップのストラップは、二つ以上のストラップ部分を含むことができる。ストラップのストラップ部分は、ストラップ部分の間にＶ字形凹部を形成する傾斜壁を有することができる。更に、少なくとも一つのストラップ部分は、ストラップを通る開口部を含むことができる。
【００１５】
ヘッドギアは、第１の紐、第２の紐、第１のコネクタ、および第２のコネクタを更に含むことができる。第１の紐は、第１のシェル部分の第１のチャンネルを通って伸びて、そこにおいて、第１の紐は、第１の端部および第２の端部を有する。第２の紐は、第２のシェル部分の第２のチャネルを通って伸びて、そこにおいて、第２の紐は、第３の端部および第４の端部を有する。
【００１６】
第１のコネクタは、第３のシェル部分の上に配置されて、そこにおいて、第１のコネクタは、第１の端部および第３の端部を受ける。第２のコネクタは、第４のシェル部分の上に配置されて、そこにおいて、第２のコネクタは、第２の端部および第４の端部を受ける。
【００１７】
ヘッドギアは、第１のカプラおよび第２のカプラを更に含むことができる。第１のカプラは、第１のコネクタに配置することができて、第１の端部と第３の端部を連結できる。第２のカプラは、第２のコネクタに配置することができて、第２の端部と第４の端部を連結できる。
【００１８】
ヘッドギアは、後部分および第３の紐を更に含むことができる。後部分はロックを含む。第３の紐は、第５の端部および第６の端部を有する。第３の紐はロックに連結して、そこにおいて、第１のコネクタは第５の端部を更に受け、そして第２のコネクタは第６の端部を更に受ける。更に、第１のカプラは、第５の端部に更に連結することができて、第２のカプラは、第６の端部に更に連結できる。
【００１９】
ロックは、第３の紐に張力をかける第１の方向に回転するように構成されて、そこにおいて、第３の紐は、入れ替わりに、第１のカプラおよび第２のカプラを介して第１の紐および第２の紐に張力をかける。更に、ロックは、第３の紐から張力を解除する第２の方向に回転するように更に構成されて、そこにおいて、第３の紐は、入れ替わりに、第１のカプラおよび第２のカプラを介して、それぞれ、第１の紐および第２の紐から張力を解除する。
【００２０】
ヘッドギアは、第１のストラップおよび第２のストラップを備えている保護メガネを更に含むことができる。コネクタは、第１のストラップロックを更に含むことができて、そこにおいて、第１のストラップロックは、第１のストラップを受けて、固定する。第２のコネクタは、第２のストラップロックを更に含むことができて、そこにおいて、第２のストラップロックは第２のストラップを受けて、固定する。
【００２１】
更に、第１のストラップは、傾斜突起の第１のセットを含むことができて、第２のストラップは、傾斜突起の第２のセットを含む。第１のストラップロックは、相補的な傾斜突起の第３のセットを含むことができて、そこにおいて、突起の第３のセットは突起の第１のセットに係合する。同様に、第２のストラップロックは、相補的な傾斜突起の第４のセットを含むことができて、そこにおいて、突起の第４のセットは突起の第２のセットに係合する。
【００２２】
加えて、第１のストラップロックは、第１のストラップをそこに受けるように構成される第１の開口部を含むことができて、第２のストラップロックは、第２のストラップをそこに受けるように構成される第２の開口部を含むことができる。
【００２３】
本出願のこれらの且つ他の目的、目標、および利点は、添付図面に関連して読み込まれる例示の実施形態の以下の詳細な説明から明らかになる。
【００２４】
いくつかの実施形態が例証として示されるが、添付図面の図に限らない。
【図面の簡単な説明】
【００２５】
【図１】例示の統合化固定システムおよび例示の着脱可能な保護メガネを備えた例示のぴったり合う保護ヘッドギアの分解斜視図を示す。
【図２】図２Ａ―図２Ｅ。図１に示す保護ヘッドギアの例示の可撓性シェルを示す。
【図３】図３Ａ―図３Ｃ。図１に示す保護ヘッドギアと関連した固定システムのコネクタの例示の基部を示す。
【図４】図４Ａ−図４Ｃ。図１に示す保護ヘッドギアと関連した固定システムのコネクタの例示のカバーを示す。
【図５】図５Ａ−図５Ｃ。図１に示す保護ヘッドギアと関連した固定システムの例示のスタビライザを示す。
【図６】図６Ａ−図６Ｃ。図１に示す保護ヘッドギアの例示の着脱可能な保護メガネを示す。
【図７】図７Ａ−図７Ｃ。図１に示す保護ヘッドギアと関連した固定システムの例示の顎プロテクタを示す。
【図８】図８Ａ−図８Ｃ。図１に示す保護ヘッドギアと関連した固定システムの例示のロックホルダーを示す。
【図９】図９Ａ−図９Ｃ。図１に示すように、統合化固定システムおよび着脱可能な保護メガネを備える組み立てられたぴったり合う保護ヘッドギアのいくつかの図を示す。
【図１０】図９Ａ〜９Ｃに示す例示のロックを備えた図８Ａ〜８Ｃに示す例示のロックホルダーの統合を示す。
【発明を実施するための形態】
【００２６】
統合化固定システムおよび着脱可能な保護メガネを備えたぴったり合う保護ヘッドギアが、本願明細書に開示される。以下の説明では、説明のために、多数の具体的な詳細が、例示の実施形態の完全な理解を提供するために記載される。しかしながら、例示の実施形態が、開示された具体的な詳細の全てが無くても実践できることは、当業者に明らかである。
【００２７】
図１は、例示の統合化固定システムおよび例示の着脱可能な保護メガネを備えた例示のぴったり合う保護ヘッドギア１００の分解斜視図を示す。保護ヘッドギア１００は、可撓性シェル１０２、コネクタ１０４、額スタビライザ１０６、保護メガネ１０８、顎プロテクタ１１０、ロックホルダー１１２、紐（図９Ａ〜９Ｃに示される）、およびロック（図１０に示される）を含む。
【００２８】
保護ヘッドギア１００は、美的で使いやすくて軽いフォームファクタの保護機能の組合せを提供するように構成されて、それは頭部傷害、例えば頭部、顔面、目、顎、および脳の傷害の可能性を減らすことができる。いくつかの実施形態では、保護ヘッドギア１００は、保護メガネ１０８と共に、且つそれなしで使うことができる。そのうえ、いくつかの実施形態で、額スタビライザ１０６を省くことができる。
【００２９】
可撓性シェル１０２は、参加者が係わるさまざまな活動から生じる頭部傷害に対して保護機能を提供するように構成されるだけでなく、参加者の頭部および顎のまわりにちょうど且つ美学的に適合するように輪郭をつけられる。可撓性シェル１０２は、軽量であり且つ保護ヘッドギア１００が参加者の頭部に容易に着脱できるように可撓性を備える、一体となった多層の二重射注出成形されたデザインである。可撓性シェル１０２は、通常中央線１０１の周りの互いの鏡像である、２つの半分から二重射出成形で製造される。
【００３０】
可撓性シェル１０２は、エラストメリックポリマーでできていて、それは可撓性シェル１０２が柔らかくて弾力的であることを可能にする。エラストメリックポリマーは、例えば、エチレン酢酸ビニル（ＥＶＡ）でありえる。それはポリエチレン酢酸ビニル（ＰＥＶＡ）としても公知である。ゴム、ＰＶＣ、ＨＤＰＥ（高密度ポリエチレン）、およびシリコーン、ならびにさまざまなそれらの組み合わせを含む他の材料を用いることもできる。可撓性シェル１０２の構成は、図２Ａ〜２Ｅを考慮して以下により詳細に記載される。
【００３１】
コネクタ１０４は、保護ヘッドギア１００と関連した固定システムの締め付けおよび解除（例えば、いくつかの紐の同時および／または同時性の締め付けおよび解除）のためのいくつかの紐−例えば、額、顎、および後部の紐−の連結を容易にする中心つなぎ目である。可撓性シェル１０２の両側に示される左右のコネクタには、同じ参照番号のラベルがついているが、それにもかかわらず、これらのコネクタ１０４が互いの鏡像であると理解しなければならない。しかしながら、いろいろな実施形態で、可撓性シェル１０２の両側のコネクタ１０４は、望むように、異なることもありえる。例えば、左右のコネクタ１０４は、頭部の変形の修正、または一つ以上の他の理由を考慮に入れるために異なることがありえる。
【００３２】
コネクタ１０４は、軽量であるが高い衝撃抵抗および機械的耐久性を呈するプラスチックまたは熱可塑性物質から作ることができる。例えば、熱可塑性物質は、アクリロニトリル・ブタジエン・スチレン（ＡＢＳ）、ポリカーボネート、ポリエーテルエーテルケトン（ＰＥＥＫ）、ポリエーテルイミド、ポリエチレン、ポリプロピレン、ポリスチレン、ポリ塩化ビニル（ＰＶＣ）、ポリテトラフルオロエチレン（ＰＴＦＥ）（例えば、テフロン）、一つ以上の他の材料、ならびに材料の組合せでありえる。
【００３３】
コネクタ１０４は、コネクタベース１０４ａおよびコネクタカバー１０４ｂを含む。コネクタベース１０４ａは、可撓性シェル１０２の同様に形づくられた凹部と嵌合する。コネクタベース１０４ａが、接着剤を用いて可撓性シェル１０２の凹部に接着することができると共に、コネクタカバー１０４ｂが、コネクタベース１０４ａにスナップ係止できるように、コネクタカバー１０４ｂは、いくつかのタブおよび突起の組合せを含む。さまざまな実施形態において、コネクタベース１０４ａは、可撓性シェル１０２に代わりに、または加えて鋲着できる。コネクタ１０４のコネクタベース１０４ａおよびコネクタカバー１０４ｂの構造は、図３Ａ〜３Ｃおよび４Ａ〜４Ｃそれぞれを考慮して以下により詳細に記載される。
【００３４】
額スタビライザ１０６は、安定を可撓性シェル１０２の正面部分の額部分に提供する。そうすると、保護メガネ１０８は、可撓性シェル１０２と連結して保持できる。額スタビライザ１０６は、可撓性シェル１０２の同様に形づくられた凹部と嵌合して、それに接着される。
【００３５】
更に、額スタビライザ１０６は、可撓性シェル１０２の額部分と関連して（例えば、上を）額紐の通過を容易にするチャネルを含む。額スタビライザ１０６は、軽量であるが高い衝撃抵抗および機械的耐久性を呈するプラスチックまたは熱可塑性物質から作ることができる。例えば、額スタビライザ１０６は、上に述べたコネクタ１０４と同じ材料から作られる。額スタビライザ１０６の構造は、図５Ａ〜５Ｃを考慮して以下により詳細に記載される。
【００３６】
保護メガネ１０８は、全視界を通じて永続的で歪のない光学的透明を提供するように構成される。加えて、保護メガネ１０８は、曇りを減らすために通気穴または開口部を提供して、曇りに耐えるために曇りよけ層で被覆できる。
【００３７】
保護メガネ１０８は、参加者の明白な周辺視野をすべての角度で確実にするために、係止ストラップによって保護ヘッドギア１００のコネクタ１０４に容易に取り付けたり、それから分離する、ほぼ平面の構成から曲線の構成まで参加者の顔面の構成に合わせて輪郭をつけるように構成される。この点に関しては、保護メガネ１０８は、透明プラスチック、例えば、可撓性、耐衝撃性、および飛散防止フォームファクタを提供するポリカーボネートから射出成形される。
【００３８】
前述を考慮して、保護メガネ１０８は、例えば、はさむ、えぐる、またはひっかくために指を使用して、ならびに手、拳、肘、足、膝、および／または頭部を使用して打つて、目をさまざまな意図的なおよび／または意図的でない出来事から容易に守ることができる。保護メガネ１０８の構成は、図６Ａ〜６Ｃを考慮して以下により詳細に記載される。
【００３９】
顎プロテクタ１１０は、接触、例えば、参加者および／またはマットとの接触によって生じる損傷から顎を保護するように構成される。顎プロテクタ１１０は、通常、曲線のシェル形構造を有する。顎プロテクタ１１０は、軽量であるが高い衝撃抵抗および機械的耐久性を呈するプラスチックまたは熱可塑性物質から作ることができる。顎プロテクタ１１０は、可撓性シェル１０２の同じような形状の凹部と嵌合する。顎プロテクタ１１０は、可撓性シェル１０２の凹部に接着できる。更に、顎プロテクタ１１０は、可撓性シェル１０２の額部分と関連して（例えば、上を）顎紐の通過を容易にするチャネルを含む。
【００４０】
顎プロテクタ１１０は、軽量であるが高い衝撃抵抗および機械的耐久性を呈するプラスチックまたは熱可塑性物質から作ることができる。例えば、顎プロテクタ１１０は、上に記載されたコネクタ１０４と同じ材料から作ることができる。顎プロテクタ１１０の構成は、図７Ａ〜７Ｃを考慮して以下により詳細に記載される。
【００４１】
ロックホルダー１１２は、保護ヘッドギア１００に関してロックを連結して、保持するように構成される。その上、ロックホルダー１１２は、コネクタ１０４から後部紐を受けるように、そして更にそれらがロックと連結できるようにロックホルダー１１２を通る後部紐の通過を容易にするように更に構成される。ロックホルダー１１２は、通常、ボータイ形状を有して、可撓性シェル１０２の同じように形づくられた凹部と嵌合する。ロックホルダー１１２は、可撓性シェル１０２の凹部に接着できる。さまざまな実施形態において、ロックホルダー１１２は、可撓性シェル１０２に代わりに、または加えて鋲着できる。
【００４２】
紐は、保護ヘッドギア１００と関連した固定システムを統合して一体化する額、顎、および後方の紐を含む。紐は、一体となった紐（例えば、一本の紐）として作ることができるか、あるいは、例えば、溶着、接着、結合によって、および／またはコネクタ（例えば、図９Ｃに示されるＹ字形コネクタ）を使用して、一緒に連結するかまたは結合できる。更に、紐は、伸びることができないように、そして相当な量の張力、例えば、３００ポンド〜４００ポンドに耐えることができるように構成される。伸張に抵抗する能力は、可撓性シェル１０２ならびに保護ヘッドギア１００の他の構成要素に対する損傷を緩和する。
【００４３】
紐は、ワイヤ、ケーブル、ロープ、および／またはストリングでありえる。紐は、金属、プラスチック、またはそれらの組み合わせ、例えば、プラスチックでコートまたは被覆した金属でありえる。金属は、全一材であるか、撚り合わされる、編まれる、および／または組まれることがありえる。ロープまたはストリングは、天然または合成、例えば、ナイロン、ポリプロピレン、ポリエステル高弾性率ポリエチレン（ＨＭＰＥ）、アラミド、および／またはそれらの組み合わせでありえる。紐は、図９Ａ〜９Ｃを考慮して以下により詳細に記載される。
【００４４】
ロックは、ロックホルダー１１２に受け入れられて、それにより固定されるように構成される。ロックは、コネクタ１０４からの後部紐に連結して、それをロックするように更に構成される。更に、ロックはまた、第１の方向（例えば、時計回り）に回転することによって所定量に後部紐を短縮して、それをロックするように構成される。そうすると、額および顎の紐は、統合化固定システムをしっかり締めるために、短縮する（後方紐量の半分だけほぼ均一に各々短縮する）ことができる。
【００４５】
同様に、ロックはまた、第２の方向（例えば、反時計回り）に回転することによる急速解除装置を備えて構成される。それは、額および顎の紐を解除するために、後部紐を解除して、参加者が参加者の頭部から保護ヘッドギア１００を容易に取り外すことを可能にする。ロックは、改良された性能、精度、快適さ、耐久性、ならびに速くて便利な動作を提供する。ロックは、図１０を考慮して以下により詳細に記載される。
【００４６】
保護ヘッドギア１００が認める実施活動は、例えば、レスリング、ローラーブレーダー、サイクリング、ハイキング、スケートボーディング、タッチフットボール、サッカー、フィールドホッケー、女子ラクロス、水球、ロッククライミング、スキー、およびスノーボード、ならびに他のスポーツおよび／または活動を含むことができる。スポーツおよび活動の前述のリストは完全ではなく、そして列挙されない他のスポーツおよび／または他の活動に携わっている人々は、保護ヘッドギア１００により提供される美的フォームファクタの保護機能から利益を得ることができる。例えば、ヘッドギア１００は、遠隔航空機（例えば、ドローン）を操縦するような活動でアプリケーションを発見できる。
【００４７】
図２Ａ〜２Ｅは、図１に示す保護ヘッドギア１００の例示の可撓性シェル１０２を示す。
【００４８】
可撓性シェル１０２は、それが参加者の頭部および顎のまわりに正確且つ美学的に適合するように輪郭をつけられて、参加者が係わるさまざまな活動から生じる頭部の傷害に対する保護機能を提供するように更に構成される。上記に関して、保護ヘッドギア１００が、参加者の頭部に容易に配置されて、そこから開口部２０１を通して取り外すことができるように、可撓性シェル１０２は、軽量で可撓性であるフォームファクタを提供する。
【００４９】
可撓性シェル１０２は、参加者の頭部の正面、頭頂、側頭、後頭、および小脳の部分を含む、参加者の頭部、ならびに顎先部分を含む、参加者の顎を少なくとも部分的にカバーするように構成される。可撓性シェル１０２の構造は、いくつかのシェル部分２０２、２２２、２４４、２６２、２８２、および２９０を含む。それらは、通常、頭部および顎の上述した部分と関連している。より詳しくは、正面のシェル部分２０２、頭頂シェル部分２２２、後頭シェル部分２４４、小脳シェル部分２６２、および側頭シェル部分２８２は、通常、それぞれ参加者の頭部の正面、頭頂、後頭、小脳、および側頭脳部分と関連する。加えて、顎シェル部分２９０は、通常、参加者の頭部の顎部分と関連している。説明の明快さおよび簡潔さのために、いくつかの部分２０２、２２２、２４４、２６２、２８２、および２９０は、単にシェル部と以下に単に称される。
【００５０】
シェル部分２０２、２２２、２４４、および２９０は、曲線または円弧状方向の左側頭シェル部分２８２から右側頭シェル部分２８２まで放射状に伸びる。それは、通常、前述のシェル部分にとって重要であって、可撓性シェル１０２の形成を容易にする。シェル部分２０２、２２２、および２４４は、頭部のまわりに、またはその周辺に伸びるように構成されて、シェル部分２９０は、顎のまわりに、またはその周辺に伸びるように構成される。可撓性シェル１０２（図２Ｂ）の両側に示される左右の側頭シェル部分２８２が、同じ参照番号がついているが、それにもかかわらず、これらのシェル部分２８２が互いの鏡像であると理解すべきである。しかしながら、いろいろな実施形態で、可撓性シェル１０２の両側の側頭シェル部分２８２は、望むように、異なることもありえる。例えば、左右の側頭シェル部分２８２は、頭部の変形の修正、または一つ以上の他の理由を考慮に入れるために異なることがありえる。
【００５１】
小脳シェル部分２６２は、後頭シェル部分２４４から下へ曲線または円弧状方向に伸びるように構成される。より詳しくは、シェル部分２６２は、頭部の後ろを下へ、そして首の方へ伸びるように構成される。
【００５２】
可撓性シェル１０２は、通常モノリシック仕上げの多層化された構造を有し、そしてそれは、保護ヘッドギア１００が参加者の頭部に容易に配置できるように、軽量で柔軟性を備えている。より詳しくは、シェル部分２０２、２２２、２４４、２６２、２８２、および２９０は、拡張可能な開口部２０１をつくるために互いに関連して配置される。拡張可能な開口部２０１によって、可撓性シェルが参加者の頭部に容易に配置されて、そこから開口部２０１を通して取り外すことができる。そうすると、シェル部分２０２、２２２、２４４、および２６２は、頭部の上に、そしてそのまわりに配置され、左右のシェル部分２８２は、耳の上に、そしてそのまわりに配置され、その一方で、シェル部分２９０は、顎の上に、そしてそのまわりに配置される。可撓性シェル１０２が、参加者の頭部の上に配置されるときに、参加者の顔面は、シェル部分２０２と２９０の間に形成される開口部２０３に配置される。
【００５３】
可撓性シェル１０２は、通常、３階層構造を含み、それは、第１の基層、第２の中間層、および第３の表層を含む。基層は、通常、層２００として示される。層の構造ならびに層の数は、以下により詳細に述べるように、シェル部分の中で変化できる。更に、可撓性シェル１０２は３層構造に限定されず、そして可撓性シェル１０２の構造は、したがってより多くかより少ない層を含むことができる。
【００５４】
正面のシェル部分２０２は、基層２００、中間層２０４、表層２０６、凹部２０８、換気開口部２０９、および可撓性シェル１０２の両側に可撓性ストラップ（屈曲ストラップ）２１６を含む。シェル部分２０２は、通常、第１の基層２００の上に配置される中間層２０４により画成される。
【００５５】
中間層２０４は、中心部分２０５、および左右のテーパー状端部分２０７により画成される。より詳しくは、テーパー状端部分２０７は、中心部分２０５から可撓性シェル１０２の両側の方へ伸びて、テーパー状になって屈曲ストラップ２１６に入る。それは、可撓性シェル１０２の両側で正面のシェル部２０２を側頭シェル部分２８２に連結する。
【００５６】
表層２０６は、中間層２０４の中心部分２０５に沿って配置される、部分２０６ａ、２０６ｂを含み、そしてそれらは換気開口部２０９により分離される。より詳しくは、部分２０６ａ、２０６ｂは、通常、参加者の目の眉毛の上に位置する額の部分（例えば、額の突起）である、額ボシングの位置に配置される。部分２０６ａ、２０６ｂは、通常、不規則な台形状であり、屈曲ストラップ２１６の間に中間層に沿って伸びる。部分２０６ａ、２０６ｂは、屈曲ストラップ２１６の方向に伸びる底部（ベース）を有して、中心部分２０５の端部分２０７のテーパリングに向かってテーパー状になる輪郭を提供する。部分２０６ａ、２０６ｂのさまざまな異なる形状、例えば、長方形、円形、正方形、他の幾何学的形状、ならびに幾何学的形状の組合せは、もちろん設けることができる。
【００５７】
凹部２０８は、屈曲ストラップ２１６間に中間層２０４を横切って円弧形にまたは曲線的に伸びて、額スタビライザ１０６を受けるように構成される。複数のスロット２１５は、正面シェル部分２０２の基層２００の内部に沿って設けられて、それらは保護メガネ１０８のタブを受けるように構成される。そうすると、保護メガネ１０８は、可撓性シェル１０２に関して額に沿って固定できる。
【００５８】
換気開口部２０９は、参加者によって生じる熱の除去を提供するように構成される。開口部２０９は、大体台形の形状であり、それは表層２０６の部分２０６ａ、２０６ｂの不規則な台形状に関して逆にされる。開口部２０９のさまざまな異なる形状、例えば、長方形、円形、正方形、他の幾何学的形状、ならびに幾何学的形状の組合せは、もちろん設けることができる。
【００５９】
各屈曲ストラップ２１６は、ストラップ部分２１８、２２０、および２２１を含む。ストラップ部分２１８、２２０、および２２１は、通常、矩形（または台形）で段階的であって、可撓性シェル１０２の両側で側頭シェル部分２８２に向って屈曲ストラップ２１６に沿ってテーパー状になる。ストラップ部分２１８、２２０、および２２１の一つ以上の壁は、基層２００に向かって下方へ傾いて、Ｖ字形の凹部２１９を形成する。凹部２１９は、通常、基層２００の高さに近づくように伸びる。更に、類似のＶ字形の部分は、可撓性シェル１０２の両側で中心部分２０５の部分２０７と屈曲ストラップ２１６のストラップ部分２１８の間に設けられている。屈曲ストラップ２１６のこの構造は、可撓性シェル１０２の可撓性を提供して、改善し、その一方で、重要な保護機能を更に保持する。
【００６０】
正面のシェル部分２０２は、可撓性シェル１０２の両側で側頭シェル部分２８２の間に正面のシェル部分２０２に沿って円弧形にまたは曲線的に伸びる第１のチャンネル２１０を含む。明確に説明するために、第１のチャンネルは、時々額チャネルとして以下に表わされる。第１の（額）チャネル２１０は、中間層２０４に沿った溝２１２、および屈曲ストラップ２１６に沿った複数の開口部２１４を含む。チャネル２１０は、左右の側頭シェル部分２８２の間にシェル部分２０２のチャネル２１０に沿って伸びる額の紐を受けるが、溝２１２は額スタビライザ１０６の管状部分を受ける。
【００６１】
頭頂シェル部分２２２は、基層２００、中間層２２４、２４０、表層２２６、換気開口部２２８ａ、２２８ｂ、および可撓性ストラップ（屈曲ストラップ）２３０を可撓性シェル１０２の両側に含む。シェル部分２２２は、通常、第１の基層２００の上に配置される中間層２２４により画成される。
【００６２】
中間層２２４は、通常、矩形（または台形）の形状を有し、それの側面は可撓性シェル１０２の前面から後部へテーパー状になり、参加者の頭部の輪郭となる。台形状の基部は、中心においてほぼ外側に曲がり、そして参加者の頭部の輪郭となるために、側頭シェル部分２８２に向かってテーパー状になる。中間層２２４のさまざまな異なる形状、例えば、長方形、円形、正方形、他の幾何学的形状、ならびに幾何学的形状の組合せは、もちろん設けることができる。中間層２２４は、換気開口部２２８ａ、２２８ｂを更に含む。
【００６３】
中間層２２４、２４０は、互いからある距離をおいて配置される。同様に、中間層２４０は、通常、矩形（または台形）の形状を有し、それの側面は可撓性シェル１０２の前面から後部へテーパー状になり、参加者の頭部の輪郭となる。台形状の基部は、中心において、ほぼ外側に曲がり、そして参加者の頭部の輪郭となるために、側頭シェル部分２８２に向かってテーパー状になる。中間層２４０のさまざまな異なる形状、例えば、長方形、円形、正方形、他の幾何学的形状、ならびに幾何学的形状の組合せは、もちろん設けることができる。中間層２４０は、換気開口部２４２を同様に含む。
【００６４】
更に、中間層２２４の基層２００は、中間層２２４から可撓性シェル１０２の両側の方へ伸びて、テーパー状になって屈曲ストラップ２３０に入り、それはシェル部分２０２を側頭シェル部分２８２に連結する。
【００６５】
表層２２６は、通常、中間層２２４の中心に沿って配置される。更に、表層２２６は、通常、ボータイ形状を有して、屈曲ストラップ２３０の間に中間層２２４に沿って伸びる。ボータイ形状は、細い中間部分により連結される広い側面部分を有する。換気開口部２２８ａ、２２８ｂは、ボータイの細い中間部分に沿って配置され、それによって広い側面部分を分離する。
【００６６】
屈曲ストラップ２３０は、シェル部分２２２を側頭シェル部分２８２に連結する。更に、各屈曲ストラップ２３０は、ストラップ部分２３２、２３６を含む。ストラップ部分２３２、２３６は、通常、矩形（または台形）で段階的であって、可撓性シェル１０２の両側で側頭シェル部分２８２に向って屈曲ストラップ２３０に沿ってテーパー状になる。ストラップ部分２３２は、ストラップ部分２３６からある距離をおいて配置される。屈曲ストラップ２３０のこの構造は、可撓性シェル１０２の可撓性を提供して、改善し、その一方で、重要な保護機能を更に保持する。更に、ストラップ部分２３２、２３６は、それぞれの換気開口部２３４、２３８を含む。
【００６７】
後頭シェル部分２４４は、基層２００、中間層２４６、表層２４８、換気開口部２５０ａ、２５０ｂ、および可撓性ストラップ（屈曲ストラップ）２５２を含む。シェル部分２４４は、通常、第１の基層２００の上に配置される中間層２４６により画成される。
【００６８】
中間層２４６は、通常、矩形（または台形）の形状を有し、それの側面は可撓性シェル１０２の前面から後部へテーパー状になり、参加者の頭部の輪郭となる。台形状の上部基部は、中心においてほぼ外側に曲がり、そして側頭シェル部分２８２に向かってテーパー状になり、その一方で、参加者の頭部の輪郭となるために、下部基部は側頭シェル部分２８２に向かってほぼまっすぐに伸びる。中間層２４６のさまざまな異なる形状、例えば、長方形、円形、正方形、他の幾何学的形状、ならびに幾何学的形状の組合せは、もちろん設けることができる。他の中間層と同様に、中間層２４６は換気開口部２５０ａ、２５０ｂを含む。
【００６９】
屈曲ストラップ２５２は、シェル部分２４４を側頭シェル部分２８２に連結する。更に、各屈曲ストラップ２５２はストラップ部分２５４、２５８を含む。ストラップ部分２５４、２５８は、通常、矩形（または台形）で段階的であって、可撓性シェル１０２の両側で側頭シェル部分２８２に向って屈曲ストラップ２５２に沿ってテーパー状になる。屈曲ストラップ２５２のこの構造は、可撓性シェル１０２の可撓性を提供して、改善し、その一方で、重要な保護機能を更に保持する。更に、ストラップ部分２５４、２５８は、それぞれの換気開口部２５６、２６０を含む。
【００７０】
小脳シェル部分２６２は、可撓性ストラップ（屈曲ストラップ）２７２まで伸びる基層２００を含み、それは、頭部の後ろの下へ、そして首の方へ曲線または円弧状方向に伸びるように構成される。屈曲ストラップ２７２は、ストラップ部分２６４、２６８、２７３を含む。より詳しくは、ストラップ部分２６４、２６８は、通常、矩形（または台形）で段階的であって、参加者の首に向って屈曲ストラップ２７２に沿ってテーパー状になる。更に、ストラップ部分２６４、２６８は、それぞれの換気開口部２６６、２７０を含む。ストラップ部分２７３は、左右の部分を有する後部分であり、それは、可撓性シェル１０２の両側で側頭シェル部分２８２に向って円弧形または曲線的に頭部／首のまわりに伸びる。後部分２７３は、凹部２７８を画成する壁２７４、２７６を含む。凹部２７８は、ロックホルダーを受ける（図８Ａ〜８Ｃ）。ロックホルダーを後部分２７３の凹部２７８に入れることができるように、凹部２７８の壁２７４、２７６は、凹部２７８に向かって内側に傾いて、高さを提供する。チャネル２８０は、可撓性シェル１０２の両側で側頭シェル部分２８２に向かって外側に伸びる。これらのチャネル２８０は、側頭シェル部分２８２から伸びる後部紐を後部分２７３に入ることができるロックホルダーまで導く。屈曲ストラップ２７２のこの構造は、可撓性シェル１０２の可撓性を提供して、改善し、その一方で、重要な保護機能を更に保持する。
【００７１】
詳細に示されてはいないが、後部分２７３の内面は、滑らかであるかまたはテクスチャード加工される（例えば、溝、頂点と谷部など）ことがありえる。テクスチャリングは、参加者の首のより良好な握持を提供できる。
【００７２】
側頭シェル部分２８２は、屈曲ストラップ２１６、２３０、２５２、および２９０（後述する）に連結する中心部分であり、更に、保護ヘッドギア１００と関連した固定システムの締め付けおよび解除のために、コネクタ１０４およびいくつかの紐（例えば、額、顎、および後部の紐）の受け取りを容易にする。左側頭シェル部分２８２が示されるが、右側頭シェル部分２８２は、可撓性シェル１０２の反対側にあることを理解すべきである。本願明細書に記載されているように、左右のシェル部分２８２は互いの鏡像である。しかしながら、いろいろな実施形態で、可撓性シェル１０２の両側のシェル部分２８２は、望むように（例えば、変形修正）、いろいろでもありえる。
【００７３】
シェル部分２８２は、Ｙ字形凹部２８３、ガイド２８４、２８５、２８８、換気開口部２８６、凹部２８１、および鋲開口部２８７を含む。Ｙ字形凹部２８３は、シェル部分２０２、２９０のそれぞれのチャンネル２１０、２１１（後述する）に連結するガイド２８４、２８５を含み、そしてガイド２８８は後部分２７２のガイド２８０の方へ伸びる。更に、ガイド２８４、２８５は、チャネル２１０、２１１からのそれぞれの開口部を有する。ガイド２８４、２８５、および２８８が、いくつかの紐、例えば、額、顎、および後部の紐の受け取りを容易にして、コネクタ１０４への紐の連通を更に容易にする点に留意する必要がある。
【００７４】
換気開口部２８６は、参加者によって生じる熱の除去を提供するように構成される。凹部２８１は、コネクタベース１０４ａの保護メガネロックおよび保護メガネ１０８のストラップの受け取りを容易にする。そうすると、保護メガネ１０８のストラップは、本願明細書に更に詳細に後述するように、コネクタ１０４の中に配置できる。鋲を使用していくつかのコネクタ１０４を可撓性シェル１０２に固定する実施形態において、鋲開口部２８７は、それぞれの鋲を受けるように設けることができる。鋲を使用しないそれらの実施形態において、鋲開口部２８７はもちろん省略できる。
【００７５】
換気開口部２３９、２４１、および２７１は、部分２０２、２２２、および２８２、部分２２２、２４４、および２８２、ならびに部分２４４、２６２、および２８２の間にそれぞれ設けられる。
【００７６】
顎シェル部分２９０は、可撓性ストラップ（屈曲ストラップ）２９２を含み、それらは、 the jaw to chin and the central chin section 296 に沿って可撓性シェル１０２の左右の部分２８２まで伸びる。屈曲ストラップ２９２は、変化する幅を有することができる。例えば、頬領域のまわりでより広く（保護機能を頬に提供する）、そして顎に沿って顎先部分２９６までより狭い部分にテーパー状になる。屈曲ストラップ２９２は複数の部分を含み、それらは、上記の通りに幅が変化する、例えば、部分２９３、２９４でありえる。ストラップ部分２９３、２９４は、通常、矩形（または台形）であって、可撓性シェル１０２の顎先部分２９６に向かって段階的であるかまたはテーパー状になることができる。
【００７７】
詳細に示されてはいないが、顎先部分２９６の内面は、滑らかであるかまたはテクスチャード加工される（例えば、溝、頂点と谷部など）ことがありえる。テクスチャリングは、参加者の顎先のより良好な握持を提供できる。
【００７８】
ストラップ部分２９３、２９４の一つ以上の壁は、下方へ傾斜して、Ｖ字形凹部２９５を形成する。凹部２９５は、通常、基層２００のレベルに近づくように伸びる。屈曲ストラップ２９２のこの構造は、可撓性シェル１０２の可撓性を提供して、改善し、その一方で、重要な保護機能を更に保持する。顎先部分２９６は凹部２９８を含み、それは顎先プロテクタ１１０を受けるように構成される。
【００７９】
顎シェル部分２９０は、側頭シェル部分２８２の間に顎シェル部分２９０に沿って円弧形または曲線的に伸びる第２のチャネル２１１を含む。明確に説明するために、第２のチャネル２１１は、時々額チャネルとして以下に表わされる。第１の（顎）チャネル２１１は、屈曲ストラップ２９２に沿って複数の開口部２９７を含む。例えば、顎チャネル２１１は、左右の側頭シェル部分２８２の間にシェル部分２９０のチャネル２１１に沿って伸びる顎紐を受けることができる。
【００８０】
図２Ｃ〜２Ｅに示したように、可撓性シェル１０２は、部分２０２、２２２、および２４４に沿って可撓性シェル１０２の内部に複数の凹部を含み、それらは衝撃吸収部分２９９ａ〜２９９ｅを受けることができる。例えば、部分２０２は、部分２９９ｃ、２９９ｄを受けることができて、部分２２２は、部分２９９ａ、２９９ｃを受けることができて、部分２４４は部分２９９ｅを受けることができる。部分２９９ａ〜２９９ｅは、部分２０２、２２２、および２４４の下面のかなりの部分をカバーするように配置されて、それは、可撓性シェル１０２の上部に対する突然の衝撃の吸収および消散を提供できる。
【００８１】
部分２９９ａ〜２９９ｅは、接着剤を用いて可撓性シェルの凹部に接着できる。代わりに、または加えて、部分２９９ａ〜２９９ｅは、可撓性シェル１０２の二重射出成形の一部として形成できる。いくつかの実施形態では、部分２９９ａ〜２９９ｅは、卵円形状を有することができる。部分は、粘弾性フォーム（例えば、記憶性フォーム）から作ることができる。それは可撓性シェル１０２に対する突然の衝撃を吸収することができて、衝撃の遅くなる圧縮および消散を可能にする。高さ部分２９９ａ〜２９９ｅは、可撓性シェルの下で参加者によって生じる熱の換気を容易にすることができる。そうすると、熱は、可撓性シェルの開口部、例えば、開口部２０９、２２８ａ、２２８ｂ、２３４、２３８、２３９、２４１、２４２、２５０ａ、２５０ｂ、２５６、２６０、２６６、および２７０を通して放散して排除できる。
【００８２】
部分２９９ａ〜２９９ｅのさまざまな異なる形状、例えば、長方形、円形、正方形、他の幾何学的形状、ならびに幾何学的形状の組合せは、もちろん設けることができる。
【００８３】
図２Ｃ〜２Ｅに更に示すように、可撓性シェル１０２は、正面のシェル部分２０２の基層２００の内部に沿って複数のスロット２１５を含む。スロット２１５は、保護メガネ１０８のタブを受けるように構成される。そうすると、保護メガネ１０８は、例えば、額スタビライザ１０６によって安定するように、可撓性シェル１０２に関して額に沿って固定できる。
【００８４】
図３Ａ〜３Ｃは、図１に示す保護ヘッドギア１００と関連した固定システムのコネクタ１０４の例示コネクタベース１０４ａを示す。
【００８５】
前述のように、コネクタベース１０４ａは可撓性シェル１０２の凹部と嵌合する。より詳しくは、コネクタベース１０４ａは、可撓性シェル１０２の側頭シェル部分２８２の凹部に接着し、および／または鋲着することができる。この点に関しては、コネクタベース１０４ａは、可撓性シェル１０２の側頭シェル部分２８２と同様に成形されて、コネクタベース１０４ａおよび側頭シェル部門２８２間の円滑な嵌合または連結を容易にする。右コネクタベース１０４ａが、図３Ａ〜３Ｃに示されるが、それにもかかわらず、左コネクタベース１０４ａが鏡像であると理解しなければならない。しかしながら、いろいろな実施形態で、コネクタベース１０４ａは、特定の修正（例えば、頭部の変形）、または一つ以上の他の理由のために要求されるように、可撓性シェル１０２の側頭シェル部分２８２の形状に基づいて異なることもありえる。
【００８６】
コネクタベース１０４ａは、スロット３０２、３０４、スナップロック・タブ３０６、３０８、保護メガネロック３１０、Ｙ字形連結凹部３１６、換気開口部３３６、３３８、および鋲開口部３４０、３４２を含む。
【００８７】
スロット３０２、３０４は、コネクタベース１０４ａに形成されて、コネクタカバー１０４ｂのタブを受ける。同様に、スナップロック・タブ３０６、３０８は、コネクタベース１０４ａに形成されて、コネクタカバー１０４ｂのスナップロック突起に係合する。このように、コネクタカバー１０４ｂは、スロット３０２、３０４を使用してコネクタベース１０４ａに関して容易に配置されて、更に、スナップロック・タブ３０６、３０８を使用してコネクタベース１０４ａに関してスナップロックされる。
【００８８】
保護メガネロック３１０は、ジグザグ状の突起３１２および開口部３１４を含む。保護メガネのストラップが開口部３１４に受け取られることが可能であるように、突起３１２は曲がるかまたは傾斜し（例えば、スロット３０２の方へ）、そしてストラップの相補的な突起は、保護メガネロック３１０に係合してロックすることができる。
【００８９】
Ｙ字形の連結凹部３１６は、例えば、Ｙ字形コネクタを介して、額、顎、および後部の紐の受け取り、ならびに上述した紐の連結を容易にする接続点として構成される（図９Ｃ）。先に記載されているように、紐は、一体となった紐（例えば、一つのリード）として作ることができるか、あるいは、例えば、溶着、接着、結びによって、および／またはコネクタ（例えば、図９Ｃに示されるＹ字形コネクタ）を使用して、一緒に連結または結合できる。更に、凹部３１６は、保護ヘッドギア１００の固定システムを締めたり、解除したりする際に紐の収納および円滑な動作を容易にする。この点に関しては、Ｙ字形の連結凹部３１６は、ガイド部分３１８、３２４、および３３０を含む。
【００９０】
ガイド部分３１８、３２４、および３３０は、開口部とガイドのそれぞれの組合せを含む。より詳しくは、ガイド部分３１８は開口部３２０およびガイド３２２を含み、ガイド部分３２４は開口部３２６およびガイド３２８を含み、そしてガイド部分３３０は開口部３３２およびガイド３３４を含む。ガイド部分３１８、３２４、および３３０は、保護ヘッドギア１００の固定システムの動作中の紐の案内を容易にする。
【００９１】
換気開口部３３６、３３８は、通常、可撓性シェル１０２の側頭シェル部分２８２の同様に形づくられた換気開口部２８６、２８６に重なる。
【００９２】
鋲開口部３４０、３４２によって、鋲が開口部３４０、３４２および可撓性シェル１０２の側頭シェル部分２８２の重なり合う開口部２８７を通って伸びることができる。その結果、鋲は、コネクタベース１０４ａを可撓性シェル１０２に固定するために用いることができる。
【００９３】
部分３４４および３４６は、参加者のこめかみおよび耳に関連してコネクタベース１０４ａの輪郭を示すために用いる。より詳しくは、部分３４４は、通常、参加者のこめかみの輪郭を示す平坦部分である。その一方で、部分３４６は、通常、参加者の耳の輪郭を示すために円弧形または曲線形である隆起部分である。部分３４４は部分３４６に滑らかに移行する。
【００９４】
図４Ａ〜４Ｃは、図１に示す保護ヘッドギア１００と関連した固定システムのコネクタ１０４の例示コネクタカバー１０４ｂを示す。
【００９５】
コネクタカバー１０４ｂは、タブ４０２、４０４、スナップロック突起４０６、４０８、凹部４１０、および一つ以上の換気開口部４１２を含む。
【００９６】
タブ４０２、４０４は、通常、コネクタカバー１０４ｂの周辺から外向きに伸びて、スナップロック突起４０６、４０８（例えば、Ｌ字形突起）は、通常、コネクタカバー１０４ｂから下向きに伸びる。タブ４０２、４０４が、コネクタベース１０４ａの相補的なスロット３０２、３０４に摺動方法で受け入れられると共に、突起４０６、４０８は、偏向して、それからコネクタベース１０４ａの相補的なスナップロック・タブ３０６、３０８に係合する。
【００９７】
前述のように、コネクタカバー１０４ｂは、コネクタベース１０４ａに関して容易に配置して、更にコネクタベース１０４ａに関してスナップロックすることができる。更に、スナップロック突起４０６、４０８は、取り外し可能に固定される（例えば、Ｌ字形状は、互いにある角度をなすアームおよびロック拡張部を含む）。それによって、スナップロック突起４０６、４０８をスナップロック・タブ３０６との係合から解除できる。この方法では、コネクタカバー１０４ｂは、コネクタベース１０４ａを介して額、顎、および後部の紐の接合および連結を効果的にカバーし、その一方で、もし必要な場合および必要な時は、接合へのアクセスを可能にする。
【００９８】
コネクタカバー１０４ｂの凹部４１０は、コネクタベース１０４ａの開口部３１４に部分的に重なる。一旦ストラップの突起が、保護メガネロック３１０の突起３１２に係合するならば、これは、保護メガネストラップの開口部３１４への受け入れおよび開口部３１４におけるストラップの保持を容易にする。
【００９９】
一つ以上の換気開口部４１２は、コネクタベース１０４ａを換気開口部３３６、３３８の上に配置される。これは、参加者からの熱のヘッドギア１００の外側への換気および消散を可能にする。
【０１００】
部分４１４および４１６は、参加者のこめかみおよび耳に関連してコネクタカバー１０４ｂの輪郭を示すために用いる。これらの部分は、通常、部分３４４、３４６の輪郭と類似し、そこでは、部分３４４は、通常、参加者のこめかみの輪郭を示す平坦部分であり、その一方で、部分３４６は、通常、参加者の耳の輪郭を示すために円弧形または曲線形である隆起部分である。部分４１４は部分４１６に滑らかに移行する。
【０１０１】
図５Ａ〜５Ｃは、図１に示す保護ヘッドギアと関連した固定システムの例示スタビライザ１０６を示す。
【０１０２】
スタビライザ１０６は、上部縁５０２、下部縁５０４、５０６、陥凹縁５０８、側縁５１０、５１０、開口部５１２、およびチャネル部分５１４を含む。スタビライザ１０６は、大体円弧形または曲線形の断面Ａ−Ａを有し、その結果、スタビライザ１０６は、可撓性シェル１０２の凹部２０８に配置できる。
【０１０３】
上部縁５０２は、曲げられた輪郭を有して、屈曲ストラップ２１６の間に可撓性シェル１０２の正面シェル部分２０２に沿って伸びる。下部縁５０４、５０６は、陥凹縁５０８により分離され、そして円弧形または曲線形であって、側縁５１０、５１０の方へ伸びて、シェル部分２０２のテーパー状縁部分２０７の輪郭を示す。陥凹縁５０８は、通常、線形であって、凹部２０８の同様に成形された突起に係合し、その結果、スタビライザ１０６は、凹部２０８に正確に配置して、保持できる。
【０１０４】
チャネル部分５１４は開口部５１２を有する。チャネル部分５１４は、可撓性シェル１０２のシェル部分２０２の凹部２０８の溝２１２の相補的な溝部分に配置されるように構成される。チャネル部分５１４は、額の紐が正面のシェル２０２のまわりをシェル部分２８２へ進むかまたは伸びることができるようにチャネル２１０と協働する。
【０１０５】
図６Ａ〜６Ｃは、図１に示す保護ヘッドギア１００の例示の着脱可能な保護メガネ１０８を示す。
【０１０６】
保護メガネ１０８は、フレーム６００、ストラップ６０２、レンズ６０６、換気スリット６０８、換気開口部６１０、突起６１２、およびタブ６１４を含む。
【０１０７】
フレーム６００は、大体平らな構成から曲線の構造まで参加者の顔面の構造の輪郭となるように構成されて、保護ヘッドギア１００のコネクタ１０４への取り付け、取り外しが容易になる。
【０１０８】
ストラップ６０２は、保護メガネロック３１０の開口部３１４に受け入れられるように構成される。ストラップはスリット６０４およびジグザグ状の突起６１２を含む。スリット６０４によって、参加者は、保護メガネロック３１０に関してストラップを係合して、解除するために、ストラップ６０２を引っ張ることができる。具体的には、保護メガネ１０８のストラップ６０２が、ロック３１０の係合突起３１２に係合したり、解除したりすることができるように、ジグザグ状突起６１２は（例えば、フレーム６０６の方へ）曲がるかまたは傾斜して、スリット６０４を用いてストラップ６０２を引くかまたは押す。
【０１０９】
本願明細書に記載されているように、レンズ６０６は、全視界を通して永続的で歪のない光学的透明度を提供するように構成されて、すべての角度で参加者の鮮明な周辺視野を確実にする。レンズ６０６は、大体平らな構成から曲線の構造までの輪郭となるようにも構成される。更に、レンズ６０６は、入れ替え可能であり、したがってフレーム６００のチャネル（図示せず）に摩擦嵌合する。レンズ６０６は、換気開口部６１０を備えるフレーム６００の周辺側でより短い。換気スリット６０８および換気開口部６１０は、曇りを軽減するために空気の換気を容易にする。先に述べたように、曇り防止コーティングは、曇りを更に抑えるためにレンズ６０６の内面に配置することもできる。
【０１１０】
タブ６１４は、正面のシェル部分２０２の基層２００の内部に沿って設けられたスロット２１５に滑り込むように構成され、その結果、シールド１０８は、可撓性シェル１０２に関して固定できる。本願明細書に記載されているように、額スタビライザ１０６は、可撓性シェル１０２の安定化を提供し、その結果、保護メガネ１０８は、可撓性シェル１０２に連結してより確実に保持できる。
【０１１１】
図７Ａ〜７Ｃは、図１に示す保護ヘッドギア１００と関連した固定システムの例示の顎プロテクタ１１０を示す。
【０１１２】
顎プロテクタ１１０は、通常、顎を保護するために曲線のシェル形構造を有する。顎プロテクタ１１０の外面７０２は、通常、卵形であり、曲線の縁７１２、円弧状上面７１６、下部縁面７１８、および陥凹内部７１４を備えて、それらは顎の輪郭を示すのに役立つ。顎プロテクタ１１０は、チャネル７０４、７０６を含み、それらは陥凹チャネル部分７１０および終端開口部７０８を含む。チャネル部分７０４、７０６は、顎紐が顎シェル部分２９０のまわりをシェル部分２８２へ進むかまたは伸びることができるようにチャネル２１１と協働する。
【０１１３】
図８Ａ〜８Ｃは、図１に示す保護ヘッドギア１００と関連した固定システムの例示のロックホルダー１１２を示す。
【０１１４】
ロックホルダー１１２は、保護ヘッドギア１００に関してロック（図９Ｂおよび１０）に連結して保持するように構成される。ロックホルダー１１２は、通常、ボータイ形状を有し、陥凹中心部分８２２により連結される周辺部分８０２、８１２を備える。ボータイの左周辺部分８０２は、開口部８０８、８１０を備えた壁８０４、および開口部８０７を備えた傾斜面８０６を含む。同様に、ボータイの右周辺部分８１２は、開口部８１８、８２０を備えた壁８１４、および開口部８１７を備えた傾斜面８１６を含む。
【０１１５】
陥凹中心部分８２２は、開口部８１０、８２０に滑り込んで係合するロックのそれぞれのタブを使用して、ロック（図９Ｂおよび１０）を受けて、固定する。シェル部分２８２からの後部紐は、それぞれの開口部８０８、８１８を通ってガイドチャネル８２４、８２６に沿って中心部分８２２まで伸び、その結果、紐は、中心部分８２２に配置されるロックに連結できる。
【０１１６】
開口部８０７、８１７は、ロックホルダー１１２の後部分２７３への取り付けを補強するために用いることができる鋲を受けるために設けることができる。鋲を使用しないそれらの実施形態において、開口部８０７、８１７は省略することができて、ロックホルダー１１２は、可撓性シェル１０２の後部分２７３に接着できる。更に、鋲は、ロックホルダー１１２を後部分に接着するために代わりに、または加えて用いることができる。
【０１１７】
凹部８２８は、それぞれの傾斜面８０６、８１６に設けることができて、それらを通して鋲をロックホルダー１２２および可撓性シェル１０２に固定するために、開口部８０７、８１７を設けることができる。２つの開口部だけが示されるが、鋲（例えば、４本の鋲）を受けるために凹部８２８により多くかまたはより少ない開口部（例えば、４つの開口部）がありえる。
【０１１８】
図９Ａ〜９Ｃは、図１に示すように、統合化固定システムおよび着脱可能な保護メガネを備えた組み立てられたぴったり合う保護ヘッドギア１００のいくつかの図を示す。
【０１１９】
図示するように、額の紐９０２は、スタビライザ１０６のチャネル２１０およびチャネル部分５１４を通って左側頭シェル部分２８２から右側頭シェル部分２８２まで伸びて、コネクタ１０４のＹ字形の連結凹部３１６に受け取られる。同様に、顎の紐９０４は、顎先プロテクタ１１０のチャネル２１１およびチャネル７０４、７０６を通って左側頭シェル部分２８２から右側頭シェル部分２８２まで伸びて、コネクタ１０４のＹ字形の連結凹部３１６に受け取られる。更に、後部紐９０６は、ロックホルダー１１２のチャネル８２４、８２６を通って伸びて、左側頭シェル部分２８２から右側頭シェル部分２８２までの後部分２７３でロック９１０に係合し、そしてコネクタ１０４のＹ字形の連結凹部３１６に受け取られる。図示するように、ロック９１０は、ロックホルダー１１２に固定される。
【０１２０】
Ｙ字形カプラー９０９は、それぞれ、額、顎、および後部の紐９０２、９０４、および９０６の端に連結するために用いる。Ｙ字形カプラー９０９は、ガイド部分３１８、３２４、および３３０の間にＹ字形の連結凹部３１６のコネクタ１０４に配置される。
【０１２１】
保護メガネ１０８のストラップ６０２は、保護メガネロック３１０に受け入れられ、そして保護メガネ１０８のタブ６１４は、正面のシェル部分２０２の内部に沿って設けられたスロット２１５に受け入れられ、その結果、シールド１０８は、可撓性シェル１０２に関して固定される。額スタビライザ１０６は、可撓性シェル１０２の安定化を提供し、その結果、保護メガネ１０８は、可撓性シェル１０２に連結してより確実に保持できる。
【０１２２】
図１０は、図９Ａ〜９Ｃに示される例示のロック９１０を備えた図８Ａ〜８Ｃに示される例示のロックホルダー１１２の統合を示す。
【０１２３】
ロック９１０は、ロックホルダー１１２に受け取られて、それにより固定されるように構成される。具体的には、ロックは、それぞれの開口部８１０、８２０に受け取られてロックホルダー１１２の中心部分８２２のロック９１０を固定するタブ９１２、９１４を含む。
【０１２４】
ロック９１０は、左右のコネクタ１０４から伸びる後部紐９０６を連結するように更に構成される。ロック９１０は、スプール（図示せず）のまわりに後部紐を包んで、第１の方向（例えば、時計回り）にホイール９１６を回転させることによって、所定量の後部紐９０６を短縮する（そして、ロックする）ことができる。そうすると、額および顎の紐９０２、９０４は、ヘッドギア１００が参加者の頭部のまわりにきつく配置されるようにヘッドギア１００の統合化固定システムを締めるために、短縮（後部紐量の半分だけほぼ均一に各々短縮）することができる。
【０１２５】
同様に、ロック９１０は、第２の方向（例えば、反時計回り）にホイール９１６を回転させることによる急速解除装置を備えても構成され、 それは、― 額および顎の紐９０２、９０４を解除するために ― 後部紐９０６を解除することができて、参加者が、参加者の頭部から保護ヘッドギア１００を容易に取り外すことができる。ロック９１０および本願明細書に記載の他の要素と統合されるヘッドギア１００は、非常に改良された性能、精度、快適さ、耐久性、ならびに速くて便利な動作を提供する。
【０１２６】
更に示すように、鋲１００２、１００４は、傾斜面８０６、８１６の凹部８２８、８２８の開口部８０７、８１７を通して挿入することができて、その結果、ロックホルダー１１２は、可撓性シェル１０２により確実に取り付けられる。鋲１００２、１００４だけが示されるが、より多くかより少ない鋲を、例えば、示された鋲１００２、１００４の上下に、凹部８２８の開口部を通して設けることができる。
【０１２７】
このように、統合化固定システムおよび着脱可能な保護メガネを備えたぴったり合う保護ヘッドギアは記述された。特定の例示の実施形態が記述されたにもかかわらず、さまざまな変更態様と改変が、本発明のより広い精神と範囲を逸脱せずにこれらの実施形態になされることができることは明白である。
【０１２８】
従って、本明細書および図面は、限定的意味よりはむしろ例証的意味とみなすべきである。本願明細書の一部を形成する添付図面は、例証として、且つ限定せずに、内容を実践できる特定の実施形態を示す。示される実施形態は、充分詳細に記載されて、当業者は本願明細書に開示される教示を行うことができる。他の実施形態を利用して、そこから引き出すことができる。そうすると、構造的且つ論理的置換および変更は、本出願の範囲を逸脱せずになすことができる。
【０１２９】
前述の詳細な説明は、従って、限定的にとらえるべきではなくて、さまざまな実施形態の範囲は、この種の請求項が権利を有するあらゆる等価物とともに、添付の請求の範囲だけによって定義される。
【０１３０】
特定の実施形態が本願明細書に図と共に記載されたけれども、同じ目的を達成するために割り出したいかなる構成も、示した特定の実施形態と置換できると理解すべきである。本出願は、さまざまな実施形態のすべての改作またはバリエーションをカバーすることを目的とする。前記実施形態と本願明細書に特に記載されていない他の実施形態の組合せは、前記説明をチェックすると、即座に、当業者にとって明らかである。
【０１３１】
要約は、３７Ｃ．Ｆ．Ｒ．§１．７２（ｂ）に従うために設けられて、読者が本出願の技術的な開示の性質をすぐに確認できる。それは、請求項の範囲または意味を解釈するかまたは制限するために用いないという了解の下で提示される。
【０１３２】
前述の詳細な説明において、さまざまな特徴は、この用途の開示を合理化するために単一の実施形態に一緒に集めることが可能である。この開示の方法は、請求される実施形態が各請求項において明白に詳述されるより多くの特徴を有することを反映すると解釈してはならない。むしろ、以下の請求項が反映するので、発明の内容は、単一の開示された実施形態のすべての特徴より少ない。
【０１３３】
更に、本願明細書に記載されているさまざまな実施形態の特徴または構成要素が、前述の詳細な説明に明確に列挙されないいろいろな組合せに結合することができて、この種の組合せが、請求できる別々の例示の実施形態として単独で同様に立っていることができると考えられる。
【図１】
2019521258.tif 000003
【図２Ａ】
2019521258.tif 000004
【図２Ｂ】
2019521258.tif 000005
【図２Ｃ】
2019521258.tif 000006
【図２Ｄ】
2019521258.tif 000007
【図２Ｅ】
2019521258.tif 000008
【図３Ａ】
2019521258.tif 000009
【図３Ｂ】
2019521258.tif 000010
【図３Ｃ】
2019521258.tif 000011
【図４Ａ】
2019521258.tif 000012
【図４Ｂ】
2019521258.tif 000013
【図４Ｃ】
2019521258.tif 000014
【図５Ａ】
2019521258.tif 000015
【図５Ｂ】
2019521258.tif 000016
【図５Ｃ】
2019521258.tif 000017
【図６Ａ】
2019521258.tif 000018
【図６Ｂ】
2019521258.tif 000019
【図６Ｃ】
2019521258.tif 000020
【図７Ａ】
2019521258.tif 000021
【図７Ｂ】
2019521258.tif 000022
【図７Ｃ】
2019521258.tif 000023
【図８Ａ】
2019521258.tif 000024
【図８Ｂ】
2019521258.tif 000025
【図８Ｃ】
2019521258.tif 000026
【図９Ａ】
2019521258.tif 000027
【図９Ｂ】
2019521258.tif 000028
【図９Ｃ】
2019521258.tif 000029
【図１０】
2019521258.tif 000030
【国際調査報告】
2019521258.tif 000031